(57)【要約】【課題】伝送レートが低い場合のエラーしきい値超過アラームの発生時間を短縮することを可能にする。【解決手段】所定の期間の間、信号のエラー率がしきい値を超えたことを示すアラームのマスクを前記信号の受信装置へ指示するアラームマスク指示ビットを前記信号に挿入し、前記信号を送信する。また、信号を受信し、前記信号のエラー率を測定し、前記エラー率がしきい値を超えたことを示すアラームのマスクを指示するアラームマスク指示ビットが前記信号に挿入されているか否かを判定し、前記エラー率が前記しきい値を超え、かつ、前記アラームマスク指示ビットが前記信号に挿入されていないとき、前記アラームを出力する。【選択図】      図１
2019075620.tif 000002
【特許請求の範囲】
【請求項１】
所定の期間の間、信号のエラー率がしきい値を超えたことを示すアラームのマスクを前記信号の受信装置へ指示するアラームマスク指示ビットを前記信号に挿入する指示ビット挿入部と、
前記信号を送信する送信部と
を備えることを特徴とする送信装置。
【請求項２】
前記期間は、前記信号の前記エラー率が前記しきい値を超えることがあらかじめ見込まれる前記期間である
ことを特徴とする請求項１に記載の送信装置。
【請求項３】
前記期間は、前記信号の出力開始から前記信号が安定するまでである
ことを特徴とする請求項２に記載の送信装置。
【請求項４】
前記期間は、前記信号の出力開始から所定の時間が経過するまでである
ことを特徴とする請求項２に記載の送信装置。
【請求項５】
信号を受信する受信部と、
前記信号のエラー率を測定するエラー測定部と、
前記エラー率がしきい値を超えたことを示すアラームのマスクを指示するアラームマスク指示ビットが前記信号に挿入されているか否かを判定する指示ビット検出部と、
前記エラー率が前記しきい値を超え、かつ、前記アラームマスク指示ビットが前記信号に挿入されていないとき、前記アラームを出力するアラーム出力部と
を備えることを特徴とする受信装置。
【請求項６】
請求項１から請求項４のいずれかに記載の送信装置と、
前記受信装置と
を備え、
前記受信装置は請求項５に記載の受信装置である
ことを特徴とする送受信システム。
【請求項７】
所定の期間の間、信号のエラー率がしきい値を超えたことを示すアラームのマスクを前記信号の受信装置へ指示するアラームマスク指示ビットを前記信号に挿入し、
前記信号を送信する
ことを特徴とする送信方法。
【請求項８】
信号を受信し、
前記信号のエラー率を測定し、
前記エラー率がしきい値を超えたことを示すアラームのマスクを指示するアラームマスク指示ビットが前記信号に挿入されているか否かを判定し、
前記エラー率が前記しきい値を超え、かつ、前記アラームマスク指示ビットが前記信号に挿入されていないとき、前記アラームを出力する
ことを特徴とする受信方法。
【請求項９】
コンピュータに、
所定の期間の間、信号のエラー率がしきい値を超えたことを示すアラームのマスクを前記信号の受信装置へ指示するアラームマスク指示ビットを前記信号に挿入する指示ビット挿入機能と、
前記信号を送信する送信機能と
を実現させることを特徴とする送信プログラム。
【請求項１０】
コンピュータに、
信号を受信する受信機能と、
前記信号のエラー率を測定するエラー測定機能と、
前記エラー率がしきい値を超えたことを示すアラームのマスクを指示するアラームマスク指示ビットが前記信号に挿入されているか否かを判定する指示ビット検出機能と、
前記エラー率が前記しきい値を超え、かつ、前記アラームマスク指示ビットが前記信号に挿入されていないとき、前記アラームを出力するアラーム出力機能と
を実現させることを特徴とする受信プログラム。
【発明の詳細な説明】
【技術分野】
【０００１】
本発明は、低い伝送レートでデータ伝送を行う、送信装置、受信装置、送受信システム、方法およびプログラムに関する。
【背景技術】
【０００２】
衛星通信とＳＤＨ（Synchronous Digital Hierarchy）で構成される地上通信とを接続し、衛星通信と地上通信の保守・運用を統合する需要が高まっている。
【０００３】
衛星通信では使用できる通信帯域が限られるため、衛星通信システムの地上装置は、低い伝送レートで衛星通信を行う。一般的には、ＩＴＵ−Ｔ（International Telecommunication Union Telecommunication Standardization Sector）  Ｇ．７０３に記載されている１５４４ｋｂｉｔ／ｓインタフェースが使用されている。
【０００４】
一方、地上装置には、受信信号のＢＥＲ（Bit Error Rate）が所定のしきい値を上回った場合にアラーム（エラーしきい値超過アラーム）を発生し、ＢＥＲが所定のしきい値を下回った場合にアラーム状態から回復するものがある。このような地上装置が低い伝送レートで衛星通信を行うと、瞬時のエラーであっても、アラーム発生からアラーム回復までの時間が長時間になる。
【０００５】
測定可能なＢＥＲの下限値がｂである場合のＢＥＲの測定時間ｔは、式１で計算される。なお、ｃは信頼度（Confidence Level）、ｒはビットレートである。
2019075620.tif 000003
【０００６】
この式１は、伝送レートや測定可能なＢＥＲの下限値が小さくなるほど、測定時間が長くなる、つまり、アラーム発生からアラーム回復までの時間が長くなることを示している。
【０００７】
たとえば、信頼度ｃ＝０．９５、ビットレートｒ＝１．５Ｍｂｉｔ／ｓのときに、ＢＥＲ≧１×１０−７の精度でＢＥＲを測定する場合、測定時間ｔは約２０秒となる。さらにＢＥＲの測定精度を上げてＢＥＲ≧２×１０−８とすると、約１００秒程度の測定時間が必要となる。
【０００８】
このように、アラーム発生からアラーム回復までに時間がかかると、実際はエラーが少ない状態になっていても、アラーム回復まで通常運用ができない場合がある。
【０００９】
たとえば、特許文献１に記載の方法では、後段での不具合を防止するために、中継装置が、入力信号のＢＥＲが大きい場合に出力信号をオフする。しかし、伝送レートが低いためにＢＥＲの測定に時間がかかる場合、実際には入力信号のエラーが少ない状態になっていても、ＢＥＲの測定値が所定のしきい値を下回るまでに時間がかかり、出力信号が長時間オフされることになる。
【００１０】
一方、特許文献２や特許文献３に記載の方法では、運用開始時の不安定動作を回避するため、不安定回路が安定するまで出力を停止する。
【先行技術文献】
【特許文献】
【００１１】
【特許文献１】特開２００３−０１８０９６号公報
【特許文献２】特開平０６−１９７０１３号公報
【特許文献３】特開２００９−２４６８０５号公報
【発明の概要】
【発明が解決しようとする課題】
【００１２】
しかし、特許文献２や特許文献３の方法を送信側の地上装置の信号出力に適用し、出力信号が不安定になる期間の信号出力を停止したとしても、出力開始の際には出力信号が不安定になる。そのため、受信側の地上装置でエラーしきい値超過アラームが発生する可能性がある。そして、一度エラーしきい値超過アラームが発生すると、アラーム回復までに時間がかかり、通常運用が妨げられる可能性がある。
【００１３】
また、運用開始時の不安定動作に起因するエラーは、システムの不具合等によるものではなく、あらかじめ発生が予測され、自然に解消するものである。このようなエラーであっても、一度受信側の地上装置でエラーしきい値超過アラームが発生すると、アラーム回復までに時間がかかり、通常運用が妨げられる可能性がある。
【００１４】
本発明の目的は、伝送レートが低い場合のエラーしきい値超過アラームの発生時間を短縮することを可能にする、送信装置、受信装置、送受信システム、方法およびプログラムを提供することにある。
【課題を解決するための手段】
【００１５】
上述の問題を解決するために、本発明の送信装置は、所定の期間の間、信号のエラー率がしきい値を超えたことを示すアラームのマスクを前記信号の受信装置へ指示するアラームマスク指示ビットを前記信号に挿入する指示ビット挿入部と、前記信号を送信する送信部とを備えることを特徴とする。
【００１６】
また、本発明の受信装置は、信号を受信する受信部と、前記信号のエラー率を測定するエラー測定部と、前記エラー率がしきい値を超えたことを示すアラームのマスクを指示するアラームマスク指示ビットが前記信号に挿入されているか否かを判定する指示ビット検出部と、前記エラー率が前記しきい値を超え、かつ、前記アラームマスク指示ビットが前記信号に挿入されていないとき、前記アラームを出力するアラーム出力部とを備えることを特徴とする。
【００１７】
また、本発明の送信方法は、所定の期間の間、信号のエラー率がしきい値を超えたことを示すアラームのマスクを前記信号の受信装置へ指示するアラームマスク指示ビットを前記信号に挿入し、前記信号を送信することを特徴とする。
【００１８】
また、本発明の受信方法は、信号を受信し、前記信号のエラー率を測定し、前記エラー率がしきい値を超えたことを示すアラームのマスクを指示するアラームマスク指示ビットが前記信号に挿入されているか否かを判定し、前記エラー率が前記しきい値を超え、かつ、前記アラームマスク指示ビットが前記信号に挿入されていないとき、前記アラームを出力することを特徴とする。
【００１９】
また、本発明の送信プログラムは、コンピュータに、所定の期間の間、信号のエラー率がしきい値を超えたことを示すアラームのマスクを前記信号の受信装置へ指示するアラームマスク指示ビットを前記信号に挿入する指示ビット挿入機能と、前記信号を送信する送信機能とを実現させることを特徴とする。
【００２０】
また、本発明の受信プログラムは、コンピュータに、信号を受信する受信機能と、前記信号のエラー率を測定するエラー測定機能と、前記エラー率がしきい値を超えたことを示すアラームのマスクを指示するアラームマスク指示ビットが前記信号に挿入されているか否かを判定する指示ビット検出機能と、前記エラー率が前記しきい値を超え、かつ、前記アラームマスク指示ビットが前記信号に挿入されていないとき、前記アラームを出力するアラーム出力機能とを実現させることを特徴とする。
【発明の効果】
【００２１】
本発明の送信装置、受信装置、送受信システム、方法およびプログラムにより、伝送レートが低い場合のエラーしきい値超過アラームの発生時間を短縮することが可能になる。
【図面の簡単な説明】
【００２２】
【図１】本発明の第一の実施形態の送受信システムの構成例を示す図である。
【図２】本発明の第一の実施形態の送信装置の動作例を示す図である。
【図３】本発明の第一の実施形態の受信装置の動作例を示す図である。
【図４】本発明の第二の実施形態の地上局（送信装置）の構成例を示す図である。
【図５】Ｆビットの内容の例を示す図である。
【図６】本発明の第二の実施形態のＦビットの内容の例を示す図である。
【図７】本発明の第二の実施形態の地上局（受信装置）の構成例を示す図である。
【図８】本発明の各実施形態のハードウェア構成例を示す図である。
【発明を実施するための形態】
【００２３】
［第一の実施形態］
本発明の第一の実施の形態について説明する。
【００２４】
図１に本実施形態の送受信システムの構成例を示す。本実施形態の送受信システムは送信装置１０および受信装置２０により構成される。
【００２５】
本実施形態の送信装置１０は、指示ビット挿入部１１および送信部１２により構成される。
【００２６】
指示ビット挿入部１１は、所定の期間の間、信号のエラー率がしきい値を超えたことを示すアラームのマスクを信号の受信装置へ指示するアラームマスク指示ビットを信号に挿入する部分である。送信部１２は、信号を送信する部分である。
【００２７】
また、本実施形態の受信装置２０は、受信部２１、エラー測定部２２、指示ビット検出部２３およびアラーム出力部２４により構成される。
【００２８】
受信部２１は、信号を受信する部分である。エラー測定部２２は、信号のエラー率を測定する部分である。指示ビット検出部２３は、エラー率がしきい値を超えたことを示すアラームのマスクを指示するアラームマスク指示ビットが信号に挿入されているか否かを判定する部分である。アラーム出力部２４は、エラー率がしきい値を超え、かつ、アラームマスク指示ビットが信号に挿入されていないとき、アラームを出力する部分である。
【００２９】
このように送信装置１０および受信装置２０を構成することによって、送信装置１０は、所定の期間の間、信号のエラー率がしきい値を超えたことを示すアラームのマスクを指示するアラームマスク指示ビットを信号に挿入する。また、受信装置２０は、信号のエラー率がしきい値を超え、かつ、アラームマスク指示ビットが信号に挿入されていないとき、アラームを出力する。これにより、送信装置１０は、所定の期間の間、受信装置２０にエラーしきい値超過アラームを出力させないことが可能になる。また、受信装置２０は、所定の期間の間はエラー率がしきい値を超えてもエラーしきい値超過アラームを出力しないため、アラーム回復を待たずに通常運用を行うことができる。そのため、伝送レートが低い場合のエラーしきい値超過アラームの発生時間を短縮することが可能になる。
【００３０】
次に、図２に本実施形態の送信装置１０の、図３に本実施形態の受信装置２０の動作の例を示す。
【００３１】
送信装置１０の指示ビット挿入部１１は、所定の期間の間（ステップＳ１０１でＹＥＳ）、アラームマスク指示ビットを信号に挿入する（ステップＳ１０２）。そして、送信部１２は、信号を送信する（ステップＳ１０３）。
【００３２】
また、受信装置２０の受信部２１は、信号を受信し（ステップＳ２０１）、エラー測定部２２は、信号のエラー率を測定する（ステップＳ２０２）。また、指示ビット検出部２３は、アラームマスク指示ビットが信号に挿入されているか否かを判定する（ステップＳ２０３）。そして、アラーム出力部２４は、エラー率がしきい値を超え（ステップＳ２０４でＹＥＳ）、かつ、アラームマスク指示ビットが信号に挿入されていないとき（ステップＳ２０５でＮＯ）、アラームを出力する（ステップＳ２０６）。
【００３３】
このように動作することによって、送信装置１０は、所定の期間の間、信号のエラー率がしきい値を超えたことを示すアラームのマスクを指示するアラームマスク指示ビットを信号に挿入する。また、受信装置２０は、信号のエラー率がしきい値を超え、かつ、アラームマスク指示ビットが信号に挿入されていないとき、アラームを出力する。これにより、送信装置１０は、所定の期間の間、受信装置２０にエラーしきい値超過アラームを出力させないことが可能になる。また、受信装置２０は、所定の期間の間はエラー率がしきい値を超えてもエラーしきい値超過アラームを出力しないため、アラーム回復を待たずに通常運用を行うことができる。そのため、伝送レートが低い場合のエラーしきい値超過アラームの発生時間を短縮することが可能になる。
【００３４】
以上で説明したように、本発明の第一の実施形態では、送信装置１０は、所定の期間の間、信号のエラー率がしきい値を超えたことを示すアラームのマスクを指示するアラームマスク指示ビットを信号に挿入する。また、受信装置２０は、信号のエラー率がしきい値を超え、かつ、アラームマスク指示ビットが信号に挿入されていないとき、アラームを出力する。これにより、送信装置１０は、所定の期間の間、受信装置２０にエラーしきい値超過アラームを出力させないことが可能になる。また、受信装置２０は、所定の期間の間はエラー率がしきい値を超えてもエラーしきい値超過アラームを出力しないため、アラーム回復を待たずに通常運用を行うことができる。そのため、伝送レートが低い場合のエラーしきい値超過アラームの発生時間を短縮することが可能になる。
【００３５】
［第二の実施形態］
次に、本発明の第二の実施の形態について説明する。本実施形態では、第一の実施形態の送受信システムのより具体的な例について説明する。
【００３６】
まず、本実施形態の送受信システムの構成例について説明する。本実施形態の送受信システムは、地上局３０および地上局４０により構成される。地上局３０は第一の実施形態の送信装置１０に相当し、地上局４０は第一の実施形態の受信装置２０に相当する。なお、地上局３０および地上局４０は送受信システム内に一台以上存在することが可能である。
【００３７】
次に、図４に本実施形態の地上局３０の構成例を示す。地上局３０は、第一の実施形態の送信装置１０に相当する。
【００３８】
地上局３０は、地上装置３１および衛星通信部３８により構成される。地上装置３１は、送信部３２、アラームマスク指示部３５、電気信号変換部３６および主信号導通設定指示部３７により構成される。送信部３２は、フレーム生成部３３および指示ビット挿入部３４により構成される。
【００３９】
フレーム生成部３３、電気信号変換部３６および衛星通信部３８は、図１の送信部１２に相当する部分である。
【００４０】
フレーム生成部３３は、地上局４０へ送信するデータ（ペイロード）とオーバヘッド（ＯＨ）を含むフレームを生成する部分である。電気信号変換部３６は、フレームを電気信号に変換する部分である。衛星通信部３８は、電気信号を衛星通信信号に変換して送信する部分である。
【００４１】
指示ビット挿入部３４は、図１の指示ビット挿入部１１に相当する部分である。指示ビット挿入部３４は、信号のＢＥＲがしきい値を超えたことを示すアラームのマスクを受信装置（地上局４０）へ指示するアラームマスク指示ビットをフレーム生成部３３が生成するフレームに挿入する部分である。本実施形態では、指示ビット挿入部３４は、アラームマスク指示部３５からアラームマスク指示信号が入力されている間、アラームマスク指示ビットをフレームに挿入する。
【００４２】
図５に、１個のマルチフレームが伝送するＦビットの内容の例を示す。この例は、１５４４ｋｂｉｔ／ｓインタフェースにおいて、２４フレームで１つのマルチフレーム（２４フレームマルチフレーム）を構成する場合の例である。Ｆビットはフレームの先頭１ビットである。ＦＰはフレーム同期信号、ＣはＣＲＣ（Cyclic Redundancy Check）チェックビット、Ｄはデータリンクのためのビットである。ＦＰおよびＣは３つおきのフレームのＦビットに挿入され、Ｄは１つおきのフレームのＦビットに挿入される。
【００４３】
図６に、本実施形態の場合のＦビットの例を示す。本実施形態では、たとえば、Ｄの代わりに、アラームマスク指示ビット（Ｍ）を挿入する。この図の場合、指示ビット挿入部３４は、１つおきのフレームのＦビットにアラームマスク指示ビットを挿入する。
【００４４】
アラームマスク指示部３５は、アラームマスク指示ビットの挿入を指示ビット挿入部３４へ指示する部分である。本実施形態では、主信号導通設定指示部３７から主信号導通開始信号が入力されている間、指示ビット挿入部３４へアラームマスク指示信号を出力するものとする。
【００４５】
なお、本実施形態では、アラームマスク指示部３５がアラームマスク指示信号を出力する期間は、ＢＥＲがしきい値を超えるとあらかじめ見込まれる期間とする。ＢＥＲがしきい値を超えるとあらかじめ見込まれる期間に指示ビット挿入部３４がアラームマスク指示ビットをフレームに挿入することで、地上局４０（受信装置２０）では、その期間のアラーム発生を抑制する。これにより、地上局４０では、アラーム回復を待つことなく通常運用を行うことができる。
【００４６】
また、電気信号変換部３６が出力する電気信号は、出力開始時、信号レベルが安定せずに不安定になる。そのため、衛星通信部３８が送信する衛星通信信号にエラーが含まれ、受信側の地上局４０でエラーが検出される。しかし、このようなエラーは、あらかじめ発生が予測され、また、自然に解消するため、アラームを発生させる必要がないエラーである。そのため、本実施形態の地上局３０は、電気信号変換部３６が出力する電気信号が不安定であると見込まれる期間の間、フレームにアラームマスク指示ビットを挿入する。
【００４７】
具体的には、本実施形態では、アラームマスク指示ビットを挿入する期間は、電気信号変換部３６が電気信号を出力開始してから電気信号が安定するまでの期間とする。なお、アラームマスク指示ビットを挿入する期間は、この期間に限らず、不要なアラームが発生する可能性がある任意の期間とすることが可能である。
【００４８】
主信号導通設定指示部３７は、電気信号変換部３６に対して、電気信号の出力開始を指示する部分である。本実施形態では、主信号導通設定指示部３７は、運用開始時に、電気信号変換部３６に対して電気信号の出力開始を指示する。
【００４９】
また、主信号導通設定指示部３７は、電気信号の出力開始から電気信号が安定するまで、アラームマスク指示部３５へ主信号導通開始信号を送信する。具体的には、主信号導通設定指示部３７は、運用開始から所定の時間が経過するまでの期間、アラームマスク指示部３５へ主信号導通開始信号を送信する。これにより、指示ビット挿入部３４は、電気信号変換部３６が出力する電気信号が不安定であることが見込まれる期間の間、フレームにアラームマスク指示ビットを挿入することになる。
【００５０】
次に、図７に本実施形態の地上局４０の構成例を示す。地上局４０は、第一の実施形態の受信装置２０に相当する。
【００５１】
地上局４０は、衛星通信部４２および地上装置４１により構成される。地上装置４１は、電気終端部４３、受信部４４およびアラーム出力部４７により構成される。受信部４４は、フレーム同期部４５および指示ビット受信部４６により構成される。
【００５２】
衛星通信部４２、電気終端部４３およびフレーム同期部４５は、図１の受信部２１に相当する部分である。衛星通信部４２は、衛星通信信号を受信して電気信号に変換する部分である。電気終端部４３は、電気信号を終端し、フレームへ変換する部分である。フレーム同期部４５は、フレームのオーバヘッド（ＯＨ）とペイロードの位置を検知する部分である。また、フレーム同期部４５は、ＢＥＲを測定する。フレーム同期部４５は、図１のエラー測定部２２にも相当する。
【００５３】
指示ビット受信部４６は、図１の指示ビット検出部２３に相当する部分である。指示ビット受信部４６は、フレームからエラーマスク指示ビットを抽出する部分である。
【００５４】
アラーム出力部４７は、図１のアラーム出力部２４に相当する部分である。アラーム出力部４７は、アラームマスク指示ビットがフレームに挿入されておらず、かつ、フレーム同期部４５が測定したＢＥＲがしきい値を超えているとき、エラーしきい値超過アラームを出力する。また、アラーム出力部４７は、アラームマスク指示ビットがフレームに挿入されているとき、ＢＥＲがしきい値を超えてもしきい値超過アラームを出力しない。
【００５５】
このように地上局３０および地上局４０を構成することによって、地上局３０は、所定の期間の間、信号のＢＥＲがしきい値を超えたことを示すアラームのマスクを指示するアラームマスク指示ビットを信号に挿入する。また、地上局４０は、信号のＢＥＲがしきい値を超え、かつ、アラームマスク指示ビットが信号に挿入されていないとき、アラームを出力する。これにより、地上局３０は、所定の期間の間、地上局４０にエラーしきい値超過アラームを出力させないことが可能になる。また、受信装置２０は、所定の期間の間はＢＥＲがしきい値を超えてもエラーしきい値超過アラームを出力しないため、アラーム回復を待たずに通常運用を行うことができる。そのため、伝送レートが低い場合のエラーしきい値超過アラームの発生時間を短縮することが可能になる。
【００５６】
また、本実施形態では、地上局３０の電気信号変換部３６が出力する電気信号の出力開始から電気信号が安定するまでの間、地上局３０がエラーマスク指示ビットをフレームに挿入する。そして、地上局４０は、電気信号変換部３６の電気信号出力開始時の電気信号不安定に起因するアラームの出力を抑制する。そのため、地上局４０は、運用開始時の不要なアラーム発生を抑制することが可能となり、通常運用までの時間を短縮することが可能になる。
【００５７】
次に、図２および図３を用いて本実施形態の地上局３０および地上局４０の動作例について説明する。
【００５８】
地上局３０の主信号導通設定指示部３７は、運用開始時、電気信号変換部３６へ電気信号の出力開始を指示する。また、主信号導通設定指示部３７は、電気信号の出力開始から電気信号が安定するまでの間、アラームマスク指示部３５へ主信号導通開始信号を出力する。
【００５９】
アラームマスク指示部３５は、アラームマスク指示部３５から主信号導通開始信号を受信している間、指示ビット挿入部３４へアラームマスク指示信号を出力する。
【００６０】
指示ビット挿入部３４は、アラームマスク指示信号を受信している間（図２のステップＳ１０１でＹＥＳ）、フレーム生成部３３が生成するフレームに、アラームマスク指示ビットを挿入する（ステップＳ１０２）。
【００６１】
そして、電気信号変換部３６がフレームを電気信号に変換し、衛星通信部３８が電気信号を衛星通信信号に変換して地上局４０へ送信する（ステップＳ１０３）。
【００６２】
衛星通信信号を受信した地上局４０の衛星通信部４２は、衛星通信信号を電気信号に変換する。また、電気終端部４３は、電気信号をフレームへ変換する（図３のステップＳ２０１）。また、フレーム同期部４５は、ＢＥＲを測定する（ステップＳ２０２）。
【００６３】
指示ビット受信部４６は、フレームからアラームマスク指示ビットを抽出する（ステップＳ２０３）。そして、ＢＥＲがしきい値を超え（ステップＳ２０４でＹＥＳ）、かつ、アラームマスク指示ビットがフレームに挿入されていないとき（ステップＳ２０５でＮＯ）、アラーム出力部４７はエラーしきい値超過アラームを出力する（ステップＳ２０６）。
【００６４】
このように動作することによって、地上局３０は、所定の期間の間、信号のＢＥＲがしきい値を超えたことを示すアラームのマスクを指示するアラームマスク指示ビットを信号に挿入する。また、地上局４０は、信号のＢＥＲがしきい値を超え、かつ、アラームマスク指示ビットが信号に挿入されていないとき、アラームを出力する。これにより、地上局３０は、所定の期間の間、地上局４０にエラーしきい値超過アラームを出力させないことが可能になる。また、受信装置２０は、所定の期間の間はＢＥＲがしきい値を超えてもエラーしきい値超過アラームを出力しないため、アラーム回復を待たずに通常運用を行うことができる。そのため、伝送レートが低い場合のエラーしきい値超過アラームの発生時間を短縮することが可能になる。
【００６５】
以上で説明したように、本発明の第二の実施形態では、地上局３０は、所定の期間の間、信号のＢＥＲがしきい値を超えたことを示すアラームのマスクを指示するアラームマスク指示ビットを信号に挿入する。また、地上局４０は、信号のＢＥＲがしきい値を超え、かつ、アラームマスク指示ビットが信号に挿入されていないとき、アラームを出力する。これにより、地上局３０は、所定の期間の間、地上局４０にエラーしきい値超過アラームを出力させないことが可能になる。また、受信装置２０は、所定の期間の間はＢＥＲがしきい値を超えてもエラーしきい値超過アラームを出力しないため、アラーム回復を待たずに通常運用を行うことができる。そのため、伝送レートが低い場合のエラーしきい値超過アラームの発生時間を短縮することが可能になる。
【００６６】
［ハードウェア構成例］
上述した本発明の各実施形態における送信装置１０、受信装置２０、地上局３０および地上局４０（以降送信装置等）を、一つの情報処理装置（コンピュータ）を用いて実現するハードウェア資源の構成例について説明する。なお、送信装置等は、物理的または機能的に少なくとも二つの情報処理装置を用いて実現してもよい。また、送信装置等は、専用の装置として実現してもよい。また、送信装置等の一部の機能のみを情報処理装置を用いて実現しても良い。
【００６７】
図８は、本発明の各実施形態の送信装置等を実現可能な情報処理装置のハードウェア構成例を概略的に示す図である。情報処理装置９０は、通信インタフェース９１、入出力インタフェース９２、演算装置９３、記憶装置９４、不揮発性記憶装置９５およびドライブ装置９６を備える。
【００６８】
通信インタフェース９１は、各実施形態の送信装置等が、有線あるいは／および無線で外部装置と通信するための通信手段である。なお、送信装置等を、少なくとも二つの情報処理装置を用いて実現する場合、それらの装置の間を通信インタフェース９１経由で相互に通信可能なように接続しても良い。
【００６９】
入出力インタフェース９２は、入力デバイスの一例であるキーボードや、出力デバイスとしてのディスプレイ等のマンマシンインタフェースである。
【００７０】
演算装置９３は、汎用のＣＰＵ（Central Processing Unit）やマイクロプロセッサ等の演算処理装置である。演算装置９３は、たとえば、不揮発性記憶装置９５に記憶された各種プログラムを記憶装置９４に読み出し、読み出したプログラムに従って処理を実行することが可能である。
【００７１】
記憶装置９４は、演算装置９３から参照可能な、ＲＡＭ（Random Access Memory）等のメモリ装置であり、プログラムや各種データ等を記憶する。記憶装置９４は、揮発性のメモリ装置であっても良い。
【００７２】
不揮発性記憶装置９５は、たとえば、ＲＯＭ（Read Only Memory）、フラッシュメモリ、等の、不揮発性の記憶装置であり、各種プログラムやデータ等を記憶することが可能である。
【００７３】
ドライブ装置９６は、たとえば、後述する記録媒体９７に対するデータの読み込みや書き込みを処理する装置である。
【００７４】
記録媒体９７は、たとえば、光ディスク、光磁気ディスク、半導体フラッシュメモリ等、データを記録可能な任意の記録媒体である。
【００７５】
本発明の各実施形態は、たとえば、図８に例示した情報処理装置９０により送信装置等を構成し、この送信装置等に対して、上記各実施形態において説明した機能を実現可能なプログラムを供給することにより実現してもよい。
【００７６】
この場合、送信装置等に対して供給したプログラムを、演算装置９３が実行することによって、実施形態を実現することが可能である。また、送信装置等のすべてではなく、一部の機能を情報処理装置９０で構成することも可能である。
【００７７】
さらに、上記プログラムを記録媒体９７に記録しておき、送信装置等の出荷段階、あるいは運用段階等において、適宜上記プログラムが不揮発性記憶装置９５に格納されるよう構成してもよい。なお、この場合、上記プログラムの供給方法は、出荷前の製造段階、あるいは運用段階等において、適当な治具を利用して送信装置等内にインストールする方法を採用してもよい。また、上記プログラムの供給方法は、インターネット等の通信回線を介して外部からダウンロードする方法等の一般的な手順を採用してもよい。
【００７８】
なお、上述する各実施の形態は、本発明の好適な実施の形態であり、本発明の要旨を逸脱しない範囲内において種々変更実施が可能である。
【００７９】
上記の実施形態の一部または全部は、以下の付記のようにも記載されうるが、以下には限られない。
【００８０】
（付記１）
所定の期間の間、信号のエラー率がしきい値を超えたことを示すアラームのマスクを前記信号の受信装置へ指示するアラームマスク指示ビットを前記信号に挿入する指示ビット挿入部と、
前記信号を送信する送信部と
を備えることを特徴とする送信装置。
【００８１】
（付記２）
前記期間は、前記信号の前記エラー率が前記しきい値を超えることがあらかじめ見込まれる前記期間である
ことを特徴とする付記１に記載の送信装置。
【００８２】
（付記３）
前記期間は、前記信号の出力開始から前記信号が安定するまでである
ことを特徴とする付記２に記載の送信装置。
【００８３】
（付記４）
前記期間は、前記信号の出力開始から所定の時間が経過するまでである
ことを特徴とする付記２に記載の送信装置。
【００８４】
（付記５）
信号を受信する受信部と、
前記信号のエラー率を測定するエラー測定部と、
前記エラー率がしきい値を超えたことを示すアラームのマスクを指示するアラームマスク指示ビットが前記信号に挿入されているか否かを判定する指示ビット検出部と、
前記エラー率が前記しきい値を超え、かつ、前記アラームマスク指示ビットが前記信号に挿入されていないとき、前記アラームを出力するアラーム出力部と
を備えることを特徴とする受信装置。
【００８５】
（付記６）
付記１から付記４のいずれかに記載の送信装置と、
前記受信装置と
を備え、
前記受信装置は付記５に記載の受信装置である
ことを特徴とする送受信システム。
【００８６】
（付記７）
所定の期間の間、信号のエラー率がしきい値を超えたことを示すアラームのマスクを前記信号の受信装置へ指示するアラームマスク指示ビットを前記信号に挿入し、
前記信号を送信する
ことを特徴とする送信方法。
【００８７】
（付記８）
前記期間は、前記信号の前記エラー率が前記しきい値を超えることがあらかじめ見込まれる前記期間である
ことを特徴とする付記７に記載の送信方法。
【００８８】
（付記９）
前記期間は、前記信号の出力開始から前記信号が安定するまでである
ことを特徴とする付記８に記載の送信方法。
【００８９】
（付記１０）
前記期間は、前記信号の出力開始から所定の時間が経過するまでである
ことを特徴とする付記８に記載の送信方法。
【００９０】
（付記１１）
信号を受信し、
前記信号のエラー率を測定し、
前記エラー率がしきい値を超えたことを示すアラームのマスクを指示するアラームマスク指示ビットが前記信号に挿入されているか否かを判定し、
前記エラー率が前記しきい値を超え、かつ、前記アラームマスク指示ビットが前記信号に挿入されていないとき、前記アラームを出力する
ことを特徴とする受信方法。
【００９１】
（付記１２）
コンピュータに、
所定の期間の間、信号のエラー率がしきい値を超えたことを示すアラームのマスクを前記信号の受信装置へ指示するアラームマスク指示ビットを前記信号に挿入する指示ビット挿入機能と、
前記信号を送信する送信機能と
を実現させることを特徴とする送信プログラム。
【００９２】
（付記１３）
前記期間は、前記信号の前記エラー率が前記しきい値を超えることがあらかじめ見込まれる前記期間である
ことを特徴とする付記１２に記載の送信プログラム。
【００９３】
（付記１４）
前記期間は、前記信号の出力開始から前記信号が安定するまでである
ことを特徴とする付記１３に記載の送信プログラム。
【００９４】
（付記１５）
前記期間は、前記信号の出力開始から所定の時間が経過するまでである
ことを特徴とする付記１３に記載の送信プログラム。
【００９５】
（付記１６）
コンピュータに、
信号を受信する受信機能と、
前記信号のエラー率を測定するエラー測定機能と、
前記エラー率がしきい値を超えたことを示すアラームのマスクを指示するアラームマスク指示ビットが前記信号に挿入されているか否かを判定する指示ビット検出機能と、
前記エラー率が前記しきい値を超え、かつ、前記アラームマスク指示ビットが前記信号に挿入されていないとき、前記アラームを出力するアラーム出力機能と
を実現させることを特徴とする受信プログラム。
【符号の説明】
【００９６】
１０    送信装置
１１    指示ビット挿入部
１２    送信部
２０    受信装置
２１    受信部
２２    エラー測定部
２３    指示ビット検出部
２４    アラーム出力部
３０、４０    地上局
９０    情報処理装置
９１    通信インタフェース
９２    入出力インタフェース
９３    演算装置
９４    記憶装置
９５    不揮発性記憶装置
９６    ドライブ装置
９７    記録媒体
【図１】
2019075620.tif 000004
【図２】
2019075620.tif 000005
【図３】
2019075620.tif 000006
【図４】
2019075620.tif 000007
【図５】
2019075620.tif 000008
【図６】
2019075620.tif 000009
【図７】
2019075620.tif 000010
【図８】
2019075620.tif 000011